(57)【要約】【課題】遊技機の前面扉の貫通穴に取り付けられた操作部材等が不正に取り外された場合に、そのことの発見が容易な遊技機を提供すること。【解決手段】遊技機は、前面側に開口部を有する筐体と、筐体の開口部に開閉可能に取り付けられ、操作部材を取り付けるための貫通穴が形成された前面扉と、貫通穴に前面扉の外側から取り付けられ可動部と固定部とからなる操作部材と、前面扉の外側からは取り外し不能で、かつ前面扉の操作部材を含む領域を外側からカバーし、操作部材の可動部を操作可能に形成された開口穴を備えたカバー部材とを有しており、破壊される特定部位は、カバー部材の開口穴の縁部に形成され、操作部材の固定部の少なくとも一部を外側からカバーし、カバーした領域周辺に脆弱部である溝部を形成した。【選択図】図８
2010187809.tif 000002
【特許請求の範囲】
【請求項１】
前面側に開口部を有する筐体と、
該筐体の開口部に開閉可能に取り付けられ貫通穴の形成された前面扉と、
前記貫通穴に前記前面扉の外側から取り付け固定される前面扉取付部材と、を有する遊技機において、
前記前面扉取付部材を前記前面扉の外側に取り外した場合に、特定の部位が破壊されるようにしたことを特徴とする遊技機。
【請求項２】
前面側に開口部を有する筐体と、
該筐体の開口部に開閉可能に取り付けられ貫通穴の形成された前面扉と、
前記貫通穴に前記前面扉の外側から取り付けられスイッチ操作のための可動部及び前記貫通穴への取り付けのための固定部を有する操作部材と、
該操作部材と遊技機内部の制御基板とを電気的に接続し遊技を行うための電圧及び信号の伝達のための接続部と、を有する遊技機において、
前記操作部材を前記貫通穴から前記前面扉の外側に取り外した場合に特定の部位が破壊されるようにしたことを特徴とする遊技機。
【請求項３】
前記前面扉は、
該前面扉の外側からは取り外し不能で、かつ該前面扉の前記操作部材を含む領域を外側からカバーし、前記操作部材の可動部を操作可能に形成された開口穴を備えたカバー部材を有すること特徴とする請求項２に記載の遊技機。
【請求項４】
前記破壊される特定の部位は、
前記カバー部材の前記開口穴の縁部に形成され、前記操作部材の固定部の少なくとも一部を外側からカバーし、該カバーした領域又は該カバーした領域周辺に脆弱部を形成してなることを特徴とする請求項３に記載の遊技機。
【請求項５】
前記カバー部材の前記破壊される特定の部位の前記操作部材の固定部をカバーする状態は、前記固定部に当接した態様であることを特徴とする請求項４に記載の遊技機。
【請求項６】
前記カバー部材は、前記前面扉から取り外した場合に、その痕跡が残る痕跡部を有することを特徴とする請求項３〜５の何れか１項に記載の遊技機。
【請求項７】
前記破壊される特定の部位は前記接続部であり、
前記操作部材を前記貫通穴から前記前面扉の外側に取り外した場合に、前記操作部材の移動に伴って移動する前記接続部が前記前面扉の内側に設けられた破壊手段に接触して破壊されることを特徴とする請求項２に記載の遊技機。
【請求項８】
前記操作部材と前記制御基板装置とを電気的に接続する第２の接続部を備え、
該第２の接続部は前記操作部材に供給される電圧を前記制御基板装置にフィードバックするように構成されており、
前記破壊される特定の部位は前記第２の接続部であり、
前記操作部材を前記貫通穴から前記前面扉の外側に取り外した場合に、前記操作部材の移動に伴って移動する前記第２の接続部が前記前面扉の内側に設けられた破壊手段に接触して破壊されることを特徴とする請求項２に記載の遊技機。
【請求項９】
前記接続部又は前記第２の接続部は、前記操作部材と前記制御基板装置とを電気的に接続する導線であり、前記破壊手段はカッタであることを特徴とする請求項７又は８に記載の遊技機。
【請求項１０】
前記破壊される特定の部位が破壊された場合に、エラーを報知するエラー報知手段を有することを特徴とする請求項１〜９の何れか１項に記載の遊技機。
【発明の詳細な説明】
【技術分野】
【０００１】
本発明は、スロットマシン等の遊技機に関するものである。
【背景技術】
【０００２】
スロットマシン等の遊技機には、前面扉に開けられた貫通穴に、前面扉の外側から取り付けられた複数の操作部材が設けられている。この操作部材の操作に基づいて遊技を進行させるために、操作部材と遊技機内にある制御基板装置とが配線により接続されている（例えば、特許文献１等）。ここで、制御基盤装置は、遊技に関する各種制御を実施し、この制御基板装置により１回毎の遊技を行う度に変動表示される図柄の制御や大当たり抽選等が行われる。また、制御基板装置を構成する制御基板上には、各種処理を実行するマイクロコンピュータや遊技内容に関する制御情報が記憶されたメモリ（ＲＯＭ）等が実装されている。
【先行技術文献】
【特許文献】
【０００３】
【特許文献１】特開２００６−１８０９９９号公報
【発明の概要】
【発明が解決しようとする課題】
【０００４】
近年、前面扉が閉じられた状態で操作部材を不正に取り外し、操作部材が挿入されていた貫通穴から遊技機内部へ特殊な工具等を挿入させて、遊技機内の装置や部材、例えばホッパやレバー等にアクセスして不正にメダル（コイン）を取得し、その後取り外した操作部材を元に戻すといった不正行為が行われることがある。その場合に不正行為が行われたことを発見し難いことが問題となっていた。
【０００５】
本発明は、これらの問題に鑑みてなされたものであり、その目的は、遊技機の前面扉の貫通穴に取り付けられた操作部材等が不正に取り外された場合に、その事実を容易に発見することのできる遊技機を提供することにある。
【課題を解決するための手段】
【０００６】
上記課題を解決する請求項１に記載の発明の遊技機は、
前面側に開口部を有する筐体と、該筐体の開口部に開閉可能に取り付けられ貫通穴の形成された前面扉と、前記貫通穴に前記前面扉の外側から取り付け固定される前面扉取付部材と、を有する遊技機において、前記前面扉取付部材を前記前面扉の外側に取り外した場合に、特定の部位が破壊されるようにしたことを特徴とする。
【０００７】
請求項１に記載の遊技機によれば、前面扉の貫通穴に前面扉の外側から取り付けられた前面扉取付部材を、前面扉の貫通穴から前面扉の外側に取り外した場合に破壊される特定の部位を有するので、この特定部位の破壊状態を点検することにより不正行為が行われたことを容易かつ迅速に発見することが可能である。
【０００８】
上記課題を解決する請求項２に記載の発明の遊技機は、
前面側に開口部を有する筐体と、該筐体の開口部に開閉可能に取り付けられ貫通穴の形成された前面扉と、前記貫通穴に前記前面扉の外側から取り付けられスイッチ操作のための可動部及び前記貫通穴への取り付けのための固定部を有する操作部材と、該操作部材と遊技機内部の制御基板とを電気的に接続し遊技を行うための電圧及び信号の伝達のための接続部と、を有する遊技機において、
前記操作部材を前記貫通穴から前記前面扉の外側に取り外した場合に特定の部位が破壊されるようにしたことを特徴とする。
【０００９】
請求項２に記載の遊技機によれば、前面扉の貫通穴に取り付けられた操作部材を前面扉の貫通穴から前面扉の外側に取り外した場合に破壊される特定部位を有するので、この特定部位の破壊状態を点検することにより不正行為が行われたことを容易かつ迅速に発見することが可能である。
【００１０】
請求項３に記載の発明の遊技機は、請求項２に記載の遊技機において、
前記前面扉は、該前面扉の外側からは取り外し不能で、かつ該前面扉の前記操作部材を含む領域を外側からカバーし、前記操作部材の可動部を操作可能に形成された開口穴を備えたカバー部材を有することを特徴とする。
【００１１】
請求項３に記載の遊技機によれば、カバー部材は前面扉外側からは取り外すことができないので、前面扉が閉じられた状態で前面扉外側からカバー部材を取り外してから操作部材を取り外す操作を行うことは不可能である。したがって、操作部材を取り外すにはカバー部材を破壊しなければならず、これにより操作部材が不正に取り外されたことを容易に発見することができる。
【００１２】
請求項４に記載の発明の遊技機は、請求項３に記載の遊技機において、
前記破壊される特定の部位は、前記カバー部材の前記開口穴の縁部に形成され、前記操作部材の固定部の少なくとも一部を外側からカバーし、該カバーした領域又は該カバーした領域周辺に脆弱部を形成してなることを特徴とする。
【００１３】
請求項４に記載の発明の遊技機によれば、カバー部材が装着されたまま、操作部材を前面扉に形成された貫通穴から外側に取り外した場合、その取り外しの過程において操作部材とカバー部材に構成された破壊される特定部位（被破壊部）とが接触し、被破壊部に前面扉の外側への力が加わり、脆弱部が容易に破壊されることとなる。脆弱部は例えば溝部とすることが可能である。溝部が破壊されると破壊される特定部位である被破壊部が破壊するので、遊技者が遊技中であっても、また従業員が点検作業時であっても、操作部材が不正に取り外されたことを、カバー部材に設けられた被破壊部の破壊状態を確認することで不正行為が行われたことを容易かつ迅速に発見することが可能である。
【００１４】
請求項５に記載の発明の遊技機は、請求項４に記載の遊技機において、
前記カバー部材の前記破壊される特定の部位の前記操作部材の固定部をカバーする状態は、前記固定部に当接した態様であることを特徴とする。
【００１５】
請求項５に記載の発明の遊技機によれば、カバー部材の破壊される特定の部位（被破壊部）は遊技の操作の際に指等が当たり易いが、カバー部材の被破壊部に前面扉の外側から衝撃が加えられた場合、被破壊部は操作部材の固定部に当接しているので遊技機後方に折れ曲がることはなく、したがって脆弱部である溝部は破壊され難い。したがって、操作部材を不正に外方へ取り外した場合には、内側からの力が加えられ溝部が容易に破壊されて被破壊部が破壊するが、通常の外方からの衝撃には十分に耐え得る被破壊部を有するカバー部材を実現することができる。
【００１６】
請求項６に記載の発明の遊技機は、請求項３〜５に記載の遊技機において、
前記カバー部材は、前記前面扉から取り外した場合に、その痕跡が残る痕跡部を有することを特徴とする。したがって、不正行為者が前面扉を不正に開けてカバー部材を取り外した場合には、必ずその痕跡が残ることとなり、不正な取り外しが行われたことを容易に発見することが可能である。それ故、カバー部材の被破壊部を破壊することなく操作部材を不正に取り外す行為を防止することが可能である。
【００１７】
請求項７に記載の発明の遊技機は、請求項２に記載の遊技機において、
前記破壊される特定の部位は前記接続部であり、前記操作部材を前記貫通穴から前記前面扉の外側に取り外した場合に、前記操作部材の移動に伴って移動する前記接続部が前記前面扉の内側に設けられた破壊手段に接触して破壊されることを特徴とする。
【００１８】
請求項７に記載の遊技機によれば、操作部材が前面扉に形成された貫通穴から前面扉の外側に不正に取り外された場合、前面扉の内側に設けられた破壊手段により接続部が破壊されて電圧及び信号の伝達が不可能になり、遊技を正常に進行することができなくなる。したがって、操作部材の不正な取り外しが行われたことを容易に発見することができる。
【００１９】
請求項８に記載の発明の遊技機は、請求項２に記載の遊技機において、
前記操作部材と前記制御基板装置とを電気的に接続する第２の接続部を備え、該第２の接続部は前記操作部材に供給される電圧を前記制御基板装置にフィードバックするように構成されており、前記破壊される特定部位は前記第２の接続部であり、前記操作部材を前記貫通穴から前記前面扉の外側に取り外した場合に、前記操作部材の移動に伴って移動する前記第２の接続部が前記前面扉の内側に設けられた破壊手段に接触して破壊されることを特徴とする。
【００２０】
請求項８に記載の遊技機によれば、操作部材が不正に取り外された場合に、破壊手段が第２の接続部を破壊し、制御基板装置にフィードバックされていた電圧が零となるので、操作部材の不正な取り外しが行われたことを容易かつ迅速に発見することが可能である。
【００２１】
請求項９に記載の発明の遊技機は、請求項７又は８に記載の遊技機において、
前記接続部又は前記第２の接続部は、前記操作部材と前記制御基板装置とを電気的に接続する導線であり、前記破壊手段はカッタであることを特徴とする。
【００２２】
請求項９に記載の遊技機によれば、操作部材と制御基板装置とを接続している接続部又は第２の接続部は導線を用いているので、電気的接続を簡単に行うことが可能であり、かつ破壊手段はカッタであるので導線を容易に切断することが可能である。したがって、操作部材の不正な取り外しが行われたことを、簡単な構成、かつ低コストで発見することが可能となる。
【００２３】
請求項１０に記載の発明の遊技機は、請求項１〜９の何れか１項に記載の遊技機において、
前記破壊される特定の部位が破壊された場合に、エラーを報知するエラー報知手段を有することを特徴とする。したがって、操作部材等が不正に取り外された場合に、エラーが報知されるので、不正の発見は極めて容易である。
【発明の効果】
【００２４】
本発明によれば、操作部材を前面扉から外側に取り外した場合、特定の部位が破壊されることとなり、この特定部位の破壊状態を点検することにより不正行為が行われたことを容易かつ迅速に発見することが可能である。したがって、操作部材を取り外した貫通穴から遊技機内に針金や特殊工具等の異物を挿入して行う種々の不正行為を未然に防ぐことができる。
【図面の簡単な説明】
【００２５】
【図１】本実施の形態に係るスロットマシンの斜視図である。
【図２】スロットマシンの前面扉が開いた状態を示す斜視図である。
【図３】スロットマシンの筐体内を正面から示す図である。
【図４】スロットマシンの正面下部を断面により示す図である。
【図５】本発明の遊技機に係り、遊技機の前面扉の突出部及び垂下部の部分の分解斜視図である。
【図６】本発明の遊技機に係り、遊技機の前面扉の突出部及び垂下部の部分の分解斜視図である
【図７】装飾パネルの背面斜視図である。
【図８】第１の実施の形態の遊技機に係り、カバー部材を背面から見た斜視図（同図（ａ））、斜視図におけるＡ部分の拡大部（同図（ｂ））及び斜視図におけるＢ部分の拡大図（同図（ｃ））である。
【図９】第１の実施の形態の遊技機に係り、カバー部材の正面図（同図（ａ））、背面図（同図（ｂ））、背面図におけるＣ部分の拡大図（同図（ｃ））及び背面図におけるＤ−Ｄ断面図（同図（ｄ））である。
【図１０】第１の実施の形態の遊技機に係り、固定ピンにてカバー部材を固定した様子を示す説明図であって、同図（ａ）は前面扉の背面図、同図（ｂ）は同図（ａ）のＥ部分の拡大図、同図（ｃ）は固定ピンの拡大斜視図である。
【図１１】第１の実施の形態の遊技機に係り、カバー部材が取り付けられた前面部のストップボタンを含む横断面図であり、同図（ａ）はその概略図、同図（ｂ）は同図（ａ）のＦ部分の拡大図である。
【図１２】第２の実施の形態の遊技機に係り、ストップボタンを前面扉に形成された貫通穴に取り付け、カバー部材を装着する様子を示す断面図（同図（ａ）〜同図（ｃ））とカバー部材を装着した後の正面図（同図（ｄ））である。
【図１３】第３の実施の形態の遊技機に係り、ベットボタン付近の概略斜視図を示す。
【図１４】第４の実施の形態の遊技機に係り、ベットボタン付近の概略斜視図である。
【発明を実施するための形態】
【００２６】
［第１の実施の形態］
以下、本発明の第１実施の形態について、遊技機の一例としてスロットマシン１の場合を例に図面に基づいて説明する。図１は、スロットマシン１の前面扉３が閉じた状態を示す斜視図、図２は、スロットマシン１の前面扉３が開いた状態を示す斜視図、図３は、スロットマシン１の筐体２を正面から示す図、図４は、スロットマシン１の正面下部を断面により示す図である。
【００２７】
スロットマシン１は、図１及び図２に示すように、筐体２と前面扉３とからなる正面視略矩形状の本体（遊技機本体）４を有する。
【００２８】
前面扉３は、略平板状のフレーム２０に、スタートレバー２６やセレクタ９（図２参照）等の種々の装置類が装着されて構成されている。フレーム２０は、フレーム２０の上端部から高さ方向略中央部まで下方に移行するにしたがって手前側に突出するように傾斜した傾斜部２０Ａと、傾斜部２０Ａの下端から手前側に突出してフレーム２０の左右に亘って所定の高さ幅で延在する突出部２０Ｂと、突出部２０Ｂよりも奥側に後退した位置で突出部２０Ｂからフレーム２０の下端部まで垂下する垂下部２０Ｃを有する。
【００２９】
フレーム２０は、左端部の上下複数カ所がヒンジ５（図２を参照）によって筐体２に連結されて取り付けられ、筐体２の前部を容易に開放及び閉塞できるようになっている。そして、フレーム２０の右端部には、筐体２に対して前面扉３を閉塞して施錠状態とする施錠装置６と、その施錠装置６による施錠状態を解除して前面扉３を開放するためのキーシリンダ７が設けられている。
【００３０】
前面扉３の前面には、フレーム２０に取り付けられた装置類によって、上方から下方に向かって順番に並ぶように、演出部３Ａ、表示部３Ｂ、操作部３Ｃ、装飾部３Ｄ、払出部３Ｅが形成されている。
【００３１】
演出部３Ａは、遊技者に対して光や音、映像を用いて演出を行う演出装置２１を有する。演出装置２１は、フレーム２０の傾斜部２０Ａに取り付けられており、遊技の進行に伴って点灯・点滅する上部ランプ２１ａと、上部ランプ２１ａの下方位置で左右両側に各々配置されて種々の効果音等を発生させる一対のスピーカ２１ｂ−１、２１ｂ−２と、これら一対のスピーカ２１ｂ−１、２１ｂ−２の間に配設されて、画像・映像等の種々の情報を表示する液晶ディスプレイ２１ｃを有する。
【００３２】
表示部３Ｂは、遊技者に遊技状態を示す表示用パネル２２を有する。表示用パネル２２は、フレーム２０の傾斜部２０Ａに開口する矩形の開口部に嵌合されて取り付けられている。表示用パネル２２の略中央位置には、透明又は半透明な材質によって表示窓２２ａが一体成形されており、その表示窓２２ａから筐体２の内方の回転リール１１ａ〜１１ｃを視認できるようになっている。
【００３３】
操作部３Ｃは、表示用パネル２２の下端から手前側に向かって平面状に突出する突出部２０Ｂの上面部２０Ｂａに、ベットボタン２３とコイン投入口２４とが左右に離れて設けられている。そして、上面部２０Ｂａの手前側の端部で折曲されて垂下する突出部２０Ｂの前面部２０Ｂｂに、精算ボタン２５、回転リール１１ａ〜１１ｃの回転開始を指示するためのスタートレバー２６、回転リール１１ａ〜１１ｃの回転停止を指示するためのストップボタン２７等の各操作手段が横一列に並ぶように配設されている。突出部２０Ｂの前面部２０Ｂｂには各操作手段の周りをカバーするカバー部材２８が取り付けられている。カバー部材２８は、フレーム２０の突出部２０Ｂの前方で左右に亘って延在する帯板形状を有している。
【００３４】
装飾部３Ｄは、機種名や遊技に関わるキャラクタ等を表示する装飾用パネル４０を有する。装飾用パネル４０は、装飾用パネル４０の裏面側に設けられた照明装置の光源Ｐから照射される光によって照明されて、装飾が際立つようになっている。照明装置は、光源Ｐとして冷陰極管を備えており、図４に示すように、装飾用パネル４０の表示部４２とフレーム２０の垂下部２０Ｃとの間で前面扉３の左右に延在し、両端がフレーム２０に支持されている。光源Ｐは、電源の供給を受けて放射状に光を照射する。
【００３５】
装飾用パネル４０は、保護カバー５１と減光手段６１を備えている。保護カバー５１は、フレーム２０の垂下部２０Ｃの前方で上下に延在する表示部５２と、表示部５２の下端で折曲されて後方に向かって延在し、コイン受け皿３３に対向する対向部５３とが一体に形成され、透明又は半透明のプラスチックやアクリル等、硬質の合成樹脂製材料等の光透過性部材によって構成されている。
【００３６】
減光手段６１は、保護カバー５１の対向部５３の少なくとも一部を覆い、光源Ｐからコイン受け皿３３に向かって照射される光を減光する構成を有しており、対向部５３の上面に取り付けられて光源Ｐからコイン受け皿３３に向かって照射される光を遮光する遮光プレート６２と、遮光プレート６２に開口して光源Ｐからコイン受け皿３３に向かって照射される光を通過させる開口部６６と、開口部６６に脱着自在に取り付けられて開口部６６を通過する光を透過させて光量や色等を変更する透過光調整部６８によって構成されている。
【００３７】
開口部６６は、図４に示すように、光源Ｐから照射された光が通過してコイン受け皿３３を照明する位置に設けられている。開口部６６の大きさは、光源Ｐからコイン受け皿３３内を照明するのに必要でかつ遊技者が眩しくない程度の光量の光を透過させることができる大きさに設定されている。
【００３８】
したがって、光源Ｐから照射された光を減光手段６１で減光して、コイン受け皿３３に照射される光の光量を調整することができ、適切な光量の光でコイン受け皿３３を照明でき、遊技者にとって眩しすぎず、かつ、コイン受け皿３３上のコインの存否確認を容易ならしめ、コイン受け皿３３上のコインの取り忘れを防ぐことができる。
【００３９】
特に、コイン受け皿３３の底板部３３Ａの強度を補強するために底板部３３Ａの底面に金属製の板部材が敷設されて、上方からの光を反射し易い構造となっている場合には、減光手段６１によって適切な光量に減光することにより、遊技者が眩しく感じるのを有効に防ぐことができる。
【００４０】
そして、保護カバー５１の表示部５２と対向部４３が一体に形成されているので、光を透過させるための開口部等を保護カバー５１に開ける必要がない。したがって、針金等の棒状の異物が保護カバー５１を貫通して挿入されるおそれがなく、スロットマシン１の設定状態を不正に変更する等の不正行為を有効に防ぐことができる。
【００４１】
払出部３Ｅは、コイン払出口３１や演出用スピーカ３２Ｌ、３２Ｒ、コイン受け皿３３等を有する。コイン払出口３１は、図１に示すように、フレーム２０の左右方向略中央位置に開口形成されており、排出用通路８（図２を参照）の下流端が連通して接続されている。演出用スピーカ３２Ｌ、３２Ｒは、コイン払出口３１の左右方向両側に位置するように前面扉３のフレーム２０に取り付けられている。
【００４２】
コイン受け皿３３は、コイン受け皿取付板３０を介してフレーム２０に取り付けられている。コイン受け皿取付板３０は、一枚の平板状の金属板によって構成されており、フレーム２０の垂下部２０Ｃに重ね合わせるように取り付けられて、前面扉３の左右に亘って延在し、左右の演出用スピーカ３２Ｌ、３２Ｒの前面を覆っている。
【００４３】
コイン受け皿取付板３０の略中央には、フレーム２０のコイン払出口３１の位置に対応してコイン出口３０ａが開口形成されており、コイン払出口３１からコイン受け皿３３にコインが排出されるようになっている。また、コイン受け皿取付板３０の左右両側には、演出用スピーカ３２Ｌ、３２Ｒの位置に対応して複数の小孔３０ｂがメッシュ状に形成されて、演出用スピーカ３２Ｌ、３２Ｒからの音声等が前面扉３の前方である手前側に向かって発せられるようになっている。
【００４４】
コイン受け皿３３は、フレーム２０の垂下部２０Ｃから手前側に突出して前面扉３の左右に延在するように取り付けられている。コイン受け皿３３は、コイン払出口３１よりも下方位置で底面が左右に広がる底板部３３Ａと、底板部３３Ａの外端縁に沿って設けられて底面から上方に延出する縦壁部３３Ｂを有し、コイン受け皿取付板３０に取り付けられた場合に、縦壁部３３Ｂとコイン受け皿取付板３０との間に囲まれて上方が開放された所定枚数のコインを貯留可能な貯留空間を形成する構成を有する。
【００４５】
縦壁部３３Ｂは、コイン受け皿取付板３０から手前側に向かって延出するように基端がコイン受け皿取付板３０に固定される左右一対の側面壁部３３Ｂａ、３３Ｂｂと、コイン受け皿取付板３０に沿って左右に延在するように一対の側面壁部３３Ｂａ、３３Ｂｂの先端間を連結してコイン払出口３１に対向配置される正面壁部３３Ｂｃを有する。
【００４６】
左側面壁部３３Ｂａは、前面扉３の左端部よりも内方に位置し、前面扉３の左端部と左側面壁部３３Ｂａとの間には灰皿３３Ｃが配設されている。右側面壁部３３Ｂｂは、前面扉３の右端部に沿って位置し、コイン受け皿取付板３０から手前側に向かって移行するにしたがって右側面壁部３３Ｂｂの上端が漸次下方に移行し、正面壁部３３Ｂｃの上端に滑らかに連続している。
【００４７】
筐体２は、スロットマシン１の骨格をなす部材であり、天板２Ａ、底板２Ｂ、背板２Ｃ、左側板２Ｄ、右側板２Ｅからなり、図２に示すように、前部が開放された箱形状を有している。
【００４８】
筐体２の内方の略中央高さ位置には、リールユニット１１が配設されている。リールユニット１１は、複数個の回転リール１１ａ〜１１ｃを有している。各回転リール１１ａ〜１１ｃは、その回転中心軸線が筐体２の横幅方向に同一軸線上に延びるように配置されており、表示窓２２ａから回転リール１１ａ〜１１ｃの表面を視認できるようになっている。
【００４９】
回転リール１１ａ〜１１ｃの表面には、周回方向に所定間隔をおいて複数種類の図柄が表示されており、表示窓２２ａから上下に３つの図柄が視認できるように配置されている。そして、リール１１ａ〜１１ｃの正転により、各表示窓２２ａには各種図柄が上から下に移動しているように映し出される。
【００５０】
各リール１１ａ〜１１ｃは、個々にステッピングモータ（図示せず）に連結されており、各ステッピングモータにより別個独立して回転駆動され、リール表面の図柄が表示窓２２ａから視認可能な位置に停止される。
【００５１】
筐体２の内方の上部位置には、主基板ユニット１２が配設されている。主基板ユニット１２は、スロットマシン１の遊技動作を制御するメイン制御基板が制御基板収納ボックス内に収容された状態で、台座装置によって筐体２の背板２Cに取付支持されている。
【００５２】
筐体２の内方の下部位置には、電源ボックス１３とコイン払出手段１４と補助タンク５０が左右に並んで配置されている。電源ボックス１３は、筐体２の左側板２Ｄに沿って設けられており、開閉扉１３ａを開くことで露出される正面部には、電源スイッチ、リセットスイッチ、設定キー挿入孔（いずれも図示せず）が設けられている。電源スイッチは、主制御装置等を始めとする各部に電源を供給するための起動スイッチである。
【００５３】
リセットスイッチは、スロットマシンの各種状態をリセットするためのスイッチである。本スロットマシン１は、各種データのバックアップ機能を有しており、万一停電が発生した際でも停電時の状態を保持し、停電からの復旧（復電）の際には停電時の状態に復帰できるようになっている。したがって、例えば遊技ホールの営業が終了する場合のように通常手順で電源を遮断すると遮断前の状態が記憶保持されるが、リセットスイッチを押しながら電源スイッチをオンすると、バックアップデータがリセットされるようになっている。また、電源スイッチがオンされている状態でリセットスイッチを押した場合には、エラー状態がリセットされる。
【００５４】
設定キー挿入孔は、ホール管理者などがコインの出玉調整を行うためのものである。すなわち、ホール管理者等が設定キーを設定キー挿入孔へ挿入して操作することにより、スロットマシン１の設定状態（当選確率設定処理）を「設定１」から「設定６」まで変更できるようになっている。
【００５５】
コイン払出手段１４は、図示していないスライド機構を介して筐体２の底板２Ｂの上面に取り付けられており、前面扉３を開放した状態で筐体２の内方から前方に向かって引き出すことができるようになっている。
【００５６】
コイン払出手段１４は、コインを貯留するホッパ１５と、ホッパ１５内のコインをコイン受け皿３３に払い出す払出装置１６と、ホッパ１５から溢れたコインをホッパ１５の外に排出するコイン排出口１８等を備えている。そして、底板２Ｂの上面に払出装置１６がスライド移動可能に支持され、払出装置１６の上部にホッパ１５が取り付けられ、ホッパ１５にコイン排出口１８が形成されている。
【００５７】
払出装置１６は、モータ等の駆動手段により回転体を回転させて（いずれも図示せず）、ホッパ１５内のコインを払出口１６ａから払い出して排出用通路８に流入させる構成を有する。ホッパ１５は、筐体２の上下方向に延在する平面視略矩形の胴部１５Ａと、胴部１５Ａの下端部を閉塞する底部１５Ｂとからなる有底筒状をなす。胴部１５Ａは、左壁部１５Ａｃと右壁部１５Ａｄとが筐体２の左側板２Ｄ、右側板２Ｅと平行に延在し、後壁部１５Ａｂが筐体２の背板２Ｃに沿って延在し、前壁部１５Ａａが筐体２の前部で左右に延在するように配置される。
【００５８】
そして、胴部１５Ａの上端部は、上方に向かって開放されており、ホッパ１５内にコインが投入される投入口１７が形成されている。底部１５Ｂは、互いに対向して下方に移行するにしたがって漸次接近するように傾斜した左右一対の傾斜部１５Ｂａ、１５Ｂｂを有している。これら左右一対の傾斜部１５Ｂａ、１５Ｂｂのうち、図３で左側に示される傾斜部１５Ｂａには、払出装置１６にコインを供給する供給口が形成されている。
【００５９】
そして、図３で右側に示される傾斜部１５Ｂｂは、払出装置１６よりも筐体２の右側板２Ｅ側に突出し、底板２Ｂの上面と対向している。コイン排出口１８は、補助タンク５０の上方に位置し、ホッパ１５から溢れてコイン排出口１８から排出されたコインを補助タンク５０内に流入させることができるように、胴部１５Ａの右壁部１５Ａｄに形成されている。
【００６０】
補助タンク５０は、前面扉３を開放した状態で筐体２の内方から前方に向かって引き出して取り外しできるように、筐体２の底板２Ｂの上面に載せた状態で収容されて、遊技機本体４内に装着される。筐体２の底板２Ｂには、補助タンク５０に収容したコインを遊技機本体４の下方に位置する自動回収装置（図示していない）に供給するためのコイン回収穴が開口形成されていても良い。
【００６１】
図５及び図６は、本発明の遊技機に係り、遊技機１の前面扉３の突出部２０B及び垂下部２０Cの部分の分解斜視図である。図５は前面扉の外側から見た図であり、図６は前面扉の内側から見た図である。ただし、カバー部材２８、装飾パネル４０、ストップボタン２７、固定ピン７１だけが前面扉３から取り外されている。ストップボタン２７は、前面扉３の突出部２０Ｂの前面部２０Ｂｂに形成された貫通穴７０に嵌め込まれる。ストップボタン２７を嵌め込んだ後、装飾パネル４０を装着し、カバー部材２８を取り付け、固定ピン７１を所定に箇所に嵌め込んでカバー部材２８を固定するように構成されている。それぞれの部材の詳細については後述する。
【００６２】
図７は、装飾パネルの背面斜視図である。装飾パネル４０は、装飾シート４１と、保護カバー５１と、遮光手段６１を有する。装飾シート４１は、軟質性でかつ照明装置の光源Ｐから照射された光を透過する光透過性のシート部材、例えばポリカーボネート等の合成樹脂シートによって構成されている。装飾シート４１は、保護カバー５１の表示部５２の内面側に沿うように配置した場合に、表示部５２の内面に層状に重なり表示部５２の内面全体を覆う形状に形成されている。
【００６３】
表示部５２の上部には、挟持部５４が連続して延設されている。挟持部５４は、突出部２０Ｂの前面部２０Ｂｂとカバー部材２８との間に挟持される。挟持部５４には、装飾シート４１の位置決めを行う突起部５５と、保護カバー５１の上部をフレーム２０に係止する係止爪５６と、保護カバー５１の上部をフレーム２０に固定するための固定部５８が形成されている。
【００６４】
固定部５８は、正面から見て右側の係止爪５６の左右方向外側に離間した位置に形成されており、挟持部５４の上端から後方に向かって膨出する有底筒状の膨出部５８ａの底面に貫通孔５８ｂが穿設されて構成されている。貫通孔５８ｂには、フレーム２０を貫通してフレーム２０の裏面側から固定ネジ（図示していない）が挿通され、固定ネジの先端がカバー部材２８のネジ固定部８８に螺入される。したがって、挟持部５４は、突出部２０Ｂの前面部２０Ｂｂとカバー部材２８との間に挟持されて固定されることとなる。
【００６５】
減光手段６１は、保護カバー５１の対向部５３の少なくとも一部を覆い、光源Ｐからコイン受け皿３３に向かって照射される光を減光する構成を有する。減光手段６１は、保護カバー５１の対向部５３に取り付けられ、光源Ｐからコイン受け皿３３に向かって照射される光を遮光する遮光プレート６２と、遮光プレート６２に開口して光源Ｐからコイン受け皿３３に向かって照射される光を通過させる開口部６６と、開口部６６に嵌合して係止爪６９により係止して取り付けられる光透過性の透過光調整部６８によって構成される。
【００６６】
係止片６５は、遮光プレート６２を保護カバー５１の対向部５３に固定した状態で、対向部５３の後端縁部よりも後方に突出して後端から下方に向かって突出する略Ｌ字形状を有する。そして、コイン受け皿取付板３０の切欠部３０ｃに前方から挿入した場合に、先端が垂下部２０Ｃの凹部（図示していない）に進入して、コイン受け皿取付板３０の裏面に対向して、保護カバー５１の下部がコイン受け皿取付板３０から前方に移動するのを規制するように形成されている。
【００６７】
図８は、本発明のカバー部材に係り、背面から見た斜視図（同図（ａ））、斜視図におけるＡ部分の拡大部（同図（ｂ））及び斜視図におけるＢ部分の拡大図（同図（ｃ））である。図９は、本発明のカバー部材に係り、正面図（同図（ａ））、背面図（同図（ｂ））、背面図におけるＣ部分の拡大図（同図（ｃ））及び背面図におけるＤ−Ｄ断面図である。
【００６８】
カバー部材２８は、縦幅が小さく、横に長い帯状の形状を有しており、正面にストップボタンの可動部を操作可能に形成された開口穴８３が３個設けられた正面部８０と、この正面部８０の左右に、正面部８０と連続して右側部８１と左側部８２が形成されており、右側部８１と左側部８２の端部には、それぞれ係止片８７が設けられている。
【００６９】
右側部８１及び左側部８２は、突出部２０Bの前面部２０Ｂｂに沿うように湾曲して形成されており、それぞれの先端に形成された係止片８７は、突出部２０Ｂの前面部２０Ｂｂの内側に対向して設けられた一対の係止突起９８（図６参照）に係止される。中央部８０には、前述のようにストップボタン２７の可動部を操作可能に形成された開口穴８３が３個設けられており、右側部８１にはキーシリンダ７にキーを差し込み操作するためのキーシリンダ用穴８６が、左側部８２には精算ボタン２５を押すための精算ボタン用穴８５とスタートレバー２６を操作するためのスタートレバー用穴８４が設けられている。
【００７０】
正面部８０は、カバー部材２８の右側部８１及び左側部８２と連続して一体形成され、ストップボタンの可動部を操作可能に形成された開口穴８３が形成されている本体部９０と、ストップボタン２７が前面扉３から外側に不正に取り外された場合に、ストップボタン２７の一部が接触して容易に破壊する被破壊部９１を有する。被破壊部９１は、破壊される特定部位であり、ストップボタン２７の固定部の少なくとも一部、本実施の形態では、固定部の左側と右側の一部をカバーするように構成されている。後述するように、このカバーの状態は被破壊部９１と操作部材２７の固定部が当接する態様でなされている。本体部９０と被破壊部９１との間には、脆弱部である溝部９２が形成されている。溝部９２はＶ字形状の溝（Ｖ字溝）であり、このＶ字溝が本体部９０と被破壊部９１との間に形成されている。また、溝部９２の端部には、より溝の深いＶ字溝が形成されている。この溝部９２の存在により、ストップボタン２７を前面扉３に形成された貫通穴７０から、前面扉３の外側に取り外した場合に、ストップボタン２７の一部が被破壊部９１に触れて外側方向への力が加わり、その結果、溝部９２が破壊し、被破壊部９１が破壊することとなる。被破壊部９１が破壊した場合には、破壊したことを前面扉３の外側から容易かつ迅速に発見することが可能である。
【００７１】
カバー部材２８の裏側には、カバー部材２８を前面扉３の前面部２０Ｂｂに固定するためのピン固定部８９と、３個のネジ固定部８８が形成されている。前面扉３の貫通穴７０にストップボタン２７を嵌合し、裏面に装飾シート４１をセットした装飾用パネル４０を突出部２０Ｂの下方の垂下部２０ｃに取り付けた後に、カバー部材２８を前面部２０Ｂｂに取り付け、その後に突出部２０Ｂの裏側からピン固定部８９の嵌合用穴部８９ａには固定ピン７１を挿入して固定し、ネジ固定部８８には固定ネジ（図示していない）を突出部２０Ｂの裏側からネジ止めして固定するように構成されている。
【００７２】
図１０は、固定ピンにてカバー部材を固定した様子を示す説明図であって、同図（ａ）は前面扉の背面図、同図（ｂ）は同図（ａ）のＥ部分の拡大図、同図（ｃ）は固定ピンの拡大斜視図を示す。固定ピン７１をカバー部材２８のピン固定部８９の嵌合穴８９ａに挿入した後に、紫外線硬化樹脂を流し込み、紫外線を照射して硬化させている。固定ピン７１は、ピン固定部８９に挿入されるための中空円筒状の本体部７１ａを有しており、挿入した後に抜けを防止するため、本体部７１ａの外周面に係止爪部７１ｂを有している。係止爪部７１ｂは、その基部７１ｄが弾性力を有しており、係止爪部７１ｂを本体部７１ａに押圧すると係止爪部７１ｂが本体部７１ａ内に入り込み、押圧力を解放すれば係止爪部７１ｂは元に戻るように構成されている。したがって、固定ピン７１をピン固定部８９に挿入すると係止爪部７１ｂがピン固定部７１ｂ内の係止部（図示していない）に係止され、固定ピン７１が固定されることとなる。また、本体部７１ａの端面には、固定片７１ｃが複数設けられている。この固定片７１ｃは、ピン固定部８９の固定ピン係止面８９ｂに当接して、固定ピン７１がピン固定部８９に挿入された後に、それ以上入り込まないようにするためである。この固定片７１ｃと固定ピン係止面８９ｂとの間に紫外線硬化樹脂が流し込まれ、紫外線を照射して固定されるので、固定ピン７１を非破壊で取り外すことは不可能となる。したがって、カバー部材２８を前面扉３から取り外した場合には、固定ピン７１に必ずその痕跡が残ることとなり、不正な操作部材の取り外しを防止している。上記の説明から解るように、固定ピン７１が痕跡部を構成している。
【００７３】
図１１は、カバー部材２８が取り付けられた前面部２０Ｂｂのストップボタン２７の中心部を含む横断面図である。同図（ａ）はその概略図、同図（ｂ）は同図（ａ）のＦ部分の拡大図である。ストップボタン２７は前面扉３の突出部２０Ｂの前面部２０Ｂｂに形成された貫通穴７０に嵌合され、その後に前面扉３にはカバー部材２８が取り付けられる。ストップボタン２７のスイッチ動作を行うための可動部２７ａは、図１１（ｂ）に示すように、カバー部材２８に形成された開口穴８３から操作可能であり、被破壊部９１は可動部２７ａとは接触していない構成になっている。また、カバー部材２８の被破壊部９１は、ストップボタン２７を前面扉３の貫通穴７０に固定するための固定部２７ｂの一部分を覆って、かつ固定部２７ｂの一部分と当接して取り付けられている。
【００７４】
したがって、ストップボタン２７を前面扉３に形成された貫通穴７０から前面扉３を閉じた状態で不正に取り外した場合、ストップボタン２７の固定部２７ｂの一部が接触しているカバー部材２８の被破壊部９１に、カバー部材２８の外側方向の力が加わり、脆弱部である溝部９２が容易に破壊し、被破壊部９１がカバー部材２８から破壊されることとなる。被破壊部９１が破壊された状態では、ストップボタン２７を元に戻したとしても被破壊部９１が破壊された状態のままなので、不正な取り外しが行われたことを容易かつ迅速に発見することが可能である。特に、遊技者が遊技中であっても被破壊部９１の破壊の有無を確認することで不正な取り外しが行われたことを発見することが可能である。同様に、従業員が点検時においても被破壊部９１の破壊の有無を容易かつ迅速に発見することが可能である。
【００７５】
また、通常の遊技中にストップボタン２７を押す際に指が当たってしまう等で、被破壊部９１に前面扉３の外側から衝撃が加えられても、被破壊部９１はストップボタン２７の固定部２７ｂの一部を当接した状態でカバーしているので、被破壊部９１が遊技機の後方に折れ曲がることがない。したがって、溝部９２が破壊することがなく、被破壊部９１は破壊されない。故に、操作部材を不正に取り外した場合には被破壊部９１が容易に破壊し、前面扉３の外側からの衝撃には強い被破壊部９１を構成することが可能である。
【００７６】
したがって、第１の実施の形態の遊技機によれば、ストップボタン２７を不正に取り外した場合には、カバー部材２８の被破壊部９１が容易に破壊し、必ずその痕跡が残るので、不正行為を容易かつ迅速に発見することが可能である。また、カバー部材２８を前面扉３から不正に取り外して、被破壊部９１を破壊させることなくストップボタン２７を取り外した場合には、カバー部材２８を前面扉３に固定している固定ピン７１に、カバー部材２８を取り外したことの痕跡が必ず残るので、この場合においても不正行為を発見することが容易である。
【００７７】
また、固定ピン７１を装着しないで使用することもでき、その場合は前面扉３が閉じられた状態で不正に操作部材を取り外した場合には被破壊部９１が破壊され、従業員が前面扉３を鍵によって開けてカバー部材２８を外してから操作部材を外せばどこも破壊せずに操作部材を交換することが可能になる。
【００７８】
［第２の実施の形態］
第２の実施の形態の遊技機は、第１の実施の形態の遊技機と比較してストップボタンの形状及び構成、脆弱部が形成された被破壊部を含むカバー部材の構成が異なっている。以下、異なっている点についてのみ説明する。
【００７９】
図１２は、第２の実施の形態に係るストップボタンを前面扉に形成された貫通穴に取り付け、カバー部材を装着した様子を示す断面図（同図（ａ）〜同図（ｃ））と取り付けた後の正面図（同図（ｄ））である。ストップボタン１０１は、スイッチ動作を行うための可動部１０１ａと貫通穴１０３にストップボタン１０１を固定するための固定部１０１ｂとを有する。固定部１０１ｂには、腕部１０１ｃが放射状に４本形成されており、その略円筒形状の胴部１０１ｄには前面扉３の突起部２０Ｂの前面部２０Ｂｂに形成された貫通穴１０３と螺合可能なようにネジ山が形成されている。ストップボタン１０１を前面部２０Ｂｂに螺合させ、ストップボタン１０１を前面部２０Ｂｂに固定させる。
【００８０】
固定部１０１ｂに形成された腕部１０１ｃは、前述のように周方向に等間隔に４本、放射状に形成されており、ストップボタン１０１を前面部２０Ｂｂに固定させると正面から見て４本の腕部１０１ｃが十字形になるように構成されている。前面部２０Ｂｂの貫通穴１０３にストップボタン１０１の固定部１０１ｂの胴部１０１ｄを螺入した場合、ちょうど４本の腕部１０１ｃが前面扉３の正面から見て十字形になるように、ネジ山が調整されている。
【００８１】
次いで、カバー部材１１０が装着される。本実施の形態におけるカバー部材１１０は、第１の実施の形態におけるカバー部材と同様に、縦幅が小さく、横に長い帯状の形状を有しており、正面にストップボタンの可動部１０１ａを操作可能に形成された開口穴が３個設けられた正面部と、この正面部の左右に、正面部と連続して右側部と左側部が形成されており、右側部８１と左側部８２の端部には、それぞれ係止片が設けられている。本実施の形態においては、正面部の開口穴の内縁に形成された被破壊部の形状が異なっている。すなわち、本実施の形態においては前述のようにストップボタン１００の固定部１０１ｂから放射状に４本の腕部１０１ｃが形成されている。そして、この１本の腕部１０１ｃを両側から挟むように、一対の被破壊部１１０ａ、１１０ｂがカバー部材１１０に形成されている。本実施の形態では、被破壊部は合計４対設けられている。第１の実施の形態とは異なり、被破壊部１１０ａ、１１０ｂはストップボタン１０１の固定部１０１ｂの一部分を覆ってはいない。このようなカバー部材１１０が取り付けられると、ストップボタン１０１の固定部１０１ｂを不正に回転させて取り外そうとした場合に、被破壊部１１０ａ、１１０ｂに腕部１０１ｃが接触し、それ以上回転させると被破壊部１１０ａ、１１０ｂの何れか一方が破壊することとなる。ここで、被破壊部１１０ａ、１１０ｂが折れやすいように、脆弱な材料で構成しても良いし、被破壊部１１０ａ、１１０ｂの根元に溝部を設けておいても良い。なお、カバー部材１１０のその他の部分は第１の実施の形態と同様であり、前面部２０Ｂｂからカバー部材１１０取り外した場合には、その痕跡が残るように痕跡部を有している。
【００８２】
したがって、第２の実施の形態の遊技機においても、ストップボタンを不正に取り外した場合には、その痕跡が確実に残り、不正行為を容易かつ迅速に発見することが可能である。
【００８３】
［第３の実施の形態］
第３の実施の形態に係る遊技機は、操作部材であるベットボタンを不正に取り外した場合に、操作部材と制御基板装置とを電気的に接続し、遊技を行うための電圧及び信号を伝達している接続部が破壊されるように構成されている。すなわち、被破壊部を接続部としている。ここで、接続部は、ベットボタン２３と遊技機１内の制御基板装置（図示してない）とを電気的に接続している４本の導線１０４ａ〜１０４ｄである。この４本の導線１０４ａ〜１０４ｄにより遊技機１は通常の遊技が行えるように構成されており、その内の１本の導線が切断されても、遊技が正常に行えなくなる。
【００８４】
図１３は、第３の実施の形態に係る遊技機１の、ベットボタン２３付近の概略斜視図を示す。ベットボタン２３から４本の導線１０４ａ〜１０４ｄが出ており、この４本の導線１０４ａ〜１０４ｄは遊技機１内部の制御基板装置に接続されている。４本の導線１０４ａ〜１０４ｄのベットボタン２３との接続はコネクタ１３０を介して行われている。ベットボタン２３は、前面部２０Ｂｂの貫通穴に前面扉３の外側から嵌め込まれると、一対の係止爪１１１ａ、１１１ｂ（図示していない）により取り外すことが困難になるように構成されている。ベットボタン２３を前面扉３の外側に取り外すと４本の導線１０４ａ〜１０４ｄも同様にベットボタン２３の移動に伴って移動する。導線１０４ａ〜１０４ｄの上方であって前面扉３の前面部２０Ｂｂの内側には破壊手段であるカッタ１０６が配置されている。したがって、ベットボタン２３を不正に貫通穴から取り外される過程で、破壊手段であるカッタ１０６が導線１０４ａ〜１０４ｄの一部と接触し、この接触している部分に一定以上の外力が加わると導線１０４ａ〜１０４ｄが切断されることとなる。導線１０４ａ〜１０４ｄが切断されると遊技機は通常の遊技を行うことが不可能となり、不正な取り外しが行われたことを容易かつ迅速に発見することが可能となる。なお、ベットボタン２３を定期点検又は新品と交換するために前面扉３から正規に取り外す場合には、破壊手段であるカッタ１０６を前面扉３の前面部２０Ｂｂの裏側から取り外しておくことにより、４本の導線１０４ａ〜１０４ｄを切断することなく行うことが可能である。
【００８５】
また、ベットボタン２３に接続されているコネクタ１３０を外してからベットボタン２３を取り外すことでも、導線１０４ａ〜１０４ｄの何れも切断せずにベットボタン２３を取り外すことができる。
【００８６】
したがって、第３の実施の形態の遊技機によれば、ベットボタンを不正に取り外した場合には、ベットボタンと制御基板装置を電気的に接続している４本の導線の少なくとも１本が切断され、通常の遊技を継続することが不可能となるので、不正な取り外しを容易かつ迅速に発見することが可能である。
【００８７】
また、ベットボタンと制御基板装置とを接続している導線が切断されて通常の遊技を行うことが不可能になった場合に、エラーを報知するようにエラー報知手段を遊技機内に設けることで、操作部材の不正な取り外しを素早く発見することが容易となる。
【００８８】
［第４の実施の形態］
第４の実施の形態の遊技機は、第３の実施の形態の遊技機と略同じであるが、ベットボタンと制御基板装置とを接続する４本の導線が切断される替わりに、４本のワイヤより先に切断される第２の接続部である不正検出導線が切断される構成になっている。
【００８９】
図１４は、第４の実施の形態に係る遊技機のベットボタン２３付近の概略斜視図である。ベットボタン２３と遊技機１内部の制御基板装置（図示していない）とを電気的に接続する４本の導線１０４ａ〜１０４ｄの上部に不正検出導線１２０が１本設置されている。４本の導線１０４ａ〜１０４ｄ及び不正検出導線１２０は、コネクタ１３２を介してベットボタン２３に接続されている。ベットボタン２３を前面扉３の外側に取り外すと４本の導線１０４ａ〜１０４ｄ及び不正検出導線１２０も同様にベットボタン２３の移動に伴って移動する。不正検出導線１２０の上方であって前面扉３の前面部２０Ｂｂの内側には破壊手段であるカッタ１０６が配置されている。４本の導線１０４ａ〜１０４ｄの上部であって、破壊手段であるカッタ１０６により近い側に不正検出導線１２０が設置されていることで、ベットボタン２３の不正な取り外しが行われた場合には、いち早くこの不正検出導線１２０が切断されることとなる。
【００９０】
不正を検出するための電気回路は不正検出導線１２０を用いて簡単に構成することが可能である。例えば、不正検出ワイヤ１２０に制御基板装置（図示していない）からベットボタン２３へ供給されている＋５Ｖを印加して、制御基板装置にフィードバックする回路が例示される。このように構成することで、通常、不正検出導線１２０には＋５Ｖが印加されているが、不正な取り外しが行われ、不正検出導線１２０が切断された場合には、不正検出導線１２０の電圧は零となる。したがって、不正検出導線１２０の電圧が零となった場合に警報が鳴るように構成すれば、不正行為が行われたことを音で報知することが可能である。更に、各遊技機毎の不正検出導線１２０の電圧を、遊技店内のホールコンピュータで一括管理しておけば、ホールコンピュータが設置されている中央室で不正が行われた遊技機を素早く特定することも可能である。なお、本実施の形態においても、不正検出導線１２０が切断された場合に、エラーを報知するようにエラー報知手段を遊技機内に設けても良い。なお、本実施の形態に限らず、カバー部材２８が不正に取り外された場合又は破壊された場合に、エラー報知手段によりエラーを報知するように構成しても良いことは言うまでもない。
【００９１】
したがって、第４の実施の形態の遊技機によれば、ベットボタンを不正に取り外した場合には、ベットボタンと制御基板装置を接続する４本の導線の上部に設置された不正検出導線がいち早く切断され、警報が作動又はホールコンピュータで切断されたことを認知することが可能であるので、不正な取り外しを容易かつ迅速に発見することが可能である。
【００９２】
また、破壊される特定部位、すなわち被破壊部を設けるのは操作部材の取付箇所に限定されず、パネルやランプ等の前面扉３に設けた貫通穴７０に外側から前面扉に取り付けられる前面扉取付部材にも適用できる。更に、スロットマシンだけでなく、パチンコ機等の前面扉取付部材にも適用できる
【符号の説明】
【００９３】
１  スロットマシン（遊技機）
２  筐体
３  前面扉
４  遊技機本体
２８、１１０  カバー部材
２３  ベットボタン（操作部材）
２７、１０１  ストップボタン（操作部材）
２７ａ、１０１ａ  可動部
２７ｂ、１０１ｂ  固定部
４０、１１０  装飾パネル
７０  貫通穴
７１  固定ピン
８３  開口穴
８９  ピン固定部
９０  本体部
９１、１１０ａ、１１０ｂ  被破壊部
９２  溝部（脆弱部）
１０４ａ〜１０４ｄ  導線（接続部）
１０６  カッタ（破壊手段）
１２０  不正検出導線（第２の接続部）
【図１】
2010187809.tif 000003
【図２】
2010187809.tif 000004
【図３】
2010187809.tif 000005
【図４】
2010187809.tif 000006
【図５】
2010187809.tif 000007
【図６】
2010187809.tif 000008
【図７】
2010187809.tif 000009
【図８】
2010187809.tif 000010
【図９】
2010187809.tif 000011
【図１０】
2010187809.tif 000012
【図１１】
2010187809.tif 000013
【図１２】
2010187809.tif 000014
【図１３】
2010187809.tif 000015
【図１４】
2010187809.tif 000016